(57)【特許請求の範囲】
【請求項１】
スタッキングの際には、上に位置する運搬用矩形容器に形成された支脚部が、下に位置する運搬用矩形容器のフランジに載置され、また、ネスティングの際には、上に位置する運搬用矩形容器に形成された支脚部が、下に位置する運搬用矩形容器に形成されたポケット部に嵌合されるように構成された同一方向でスタッキング及び反対方向でネスティングが可能な運搬用矩形容器において、スタッキングの際に、上方に位置する支脚部が載置されるフランジ部分を、前記運搬用矩形容器の内側に延長して、前記フランジの上面と面一なフランジ延長部を形成するとともに、ポケットの下方の側壁の外面には、ネスティングの際に、前記フランジ延長部が挿入可能な凹部を形成したことを特徴とする運搬用矩形容器。
【請求項２】
ポケットの下方の側壁を、外面側から容器の内部方向に凹ますことにより、フランジ延長部が挿入可能な凹部を形成したことを特徴とする請求項１に記載の運搬用矩形容器。
【請求項３】
ポケットの下方の側壁をくり抜いて、フランジ延長部が挿入可能な孔を穿設したことを特徴とする請求項１に記載の運搬用矩形容器。
【発明の詳細な説明】
【０００１】
【発明の属する技術分野】
本発明は、運搬用矩形容器（以下、単に、「容器」ともいう。）を積み重ねた際に、上方に位置する容器の略下半分が、下方に位置する容器内に嵌入される、所謂、ネスティングされるとともに、上方に位置する容器が、下方に位置する容器上に載置される、所謂、スタッキングされるような、ネスティング及びスタッキングが可能な運搬用矩形容器に関するものである。
【０００２】
【従来の技術】
上方に位置する容器と下方に位置する容器を、同じ向きに積み重ねた際には、上方に位置する容器の側壁に突設された支脚部が、下方に位置する容器の開口縁に形成されたフランジに載置され、所謂、スタッキングされるとともに，スタッキングの状態から上方に位置する容器を１８０度回転させて、上方に位置する容器と下方に位置する容器の向きが反対方向になるように積み重ねた際には、上方に位置する容器の側壁に突設された支脚部が、下方に位置する容器に形成された容器の略半分の深さを有するポケット部に挿入されて、上方に位置する容器の略下半分が、下方に位置する容器内に嵌入される、所謂、ネスティングされるような、同一方向でスタッキング及び反対方向でネスティングが可能な運搬用矩形容器が知られており、このような容器において、従来より、容器の外寸が決まっている場合に、より多くの物品が収納できるように、フランジの幅を狭くして、物品が収納される容器内の容積を大きくすることが行われている。
【０００３】
【発明が解決しようとする課題】
本発明が解決しようとする課題について、従来の容器がスタッキングされた状態を示す側断面図である図７を用いて説明する。
【０００４】
上述したように、容器Ｂ’の外寸Ｌが決まっている場合に、より多くの物品が収納できるように、フランジｆ’の幅を狭くして、物品が収納される容器の内容積を大きくと、スタッキングの際、下方に位置する容器Ｂ’のフランジｆ’に載置されている、上方に位置する容器Ｂ’の支脚部ｃ’部分の奥行き寸法ｄ（以下、下方の容器のフランジに載置されている、上方に位置する容器の支脚部部分のフランジの幅方向の寸法を、単に、「支脚部の載置奥行き寸法」という。）が少なくなり、容器Ｂ’を多段にスタッキングしたときの安定性が悪化したり、或いは、フランジｆ’の強度が十分でないために、容器Ｂ’が破損するという問題があった。
【０００５】
本発明の目的は、上述したような従来の運搬用矩形容器が有する課題を解決することにある。
【０００６】
【課題を解決するための手段】
本発明は、上述した目的を達成するために、スタッキングの際には、上に位置する運搬用矩形容器に形成された支脚部が、下に位置する運搬用矩形容器のフランジに載置され、また、ネスティングの際には、上に位置する運搬用矩形容器に形成された支脚部が、下に位置する運搬用矩形容器に形成されたポケット部に嵌合されるように構成された同一方向でスタッキング及び反対方向でネスティングが可能な運搬用矩形容器において、第１には、スタッキングの際に、上方に位置する支脚部が載置されるフランジ部分を、前記運搬用矩形容器の内側に延長して、前記フランジの上面と面一なフランジ延長部を形成するとともに、ポケットの下方の側壁の外面には、ネスティングの際に、前記フランジ延長部が挿入可能な凹部を形成したものであり、第２には、ポケットの下方の側壁を、外面側から容器の内部方向に凹ますことにより、逃げとしての凹部を形成したものであり、第３には、ポケットの下方の側壁をくり抜いて、逃げとしての孔を穿設したものである。
【０００７】
以下に、本発明の種々の実施例について説明するが、本発明の趣旨を越えない限り何ら、本実施例に限定されるものではない。
【０００８】
【実施例】
図１に示されている、一例としての同一方向でスタッキング及び反対方向でネスティングが可能な運搬用矩形容器Ｂは、底部１、底部１の周囲から開口縁２に向かって外側に傾斜するように立設された相対する長側壁３及び相対する短側壁４とを有しており、開口縁２の周囲には、水平方向に延びるフランジ５が形成されている。
【０００９】
Ｓ１は、側壁の外壁面に形成された幅広の支脚部ｃ１と該支脚部ｃ１より、側壁の中央寄りの内壁面に形成された、容器Ｂの略半分の深さを有する幅狭のポケット部ｐ１とからなる第１支脚・ポケット部であり、第１支脚・ポケット部Ｓ１は、相対する長側壁３の一方の長側壁３の両端部付近に配設されている。Ｓ２は、側壁の外壁面に形成された幅狭の支脚部ｃ２と該支脚部ｃ２より、側壁の端部寄りの内壁面に形成された、容器Ｂの略半分の深さを有する幅広のポケット部ｐ２とからなる第２支脚・ポケット部であり、第２支脚・ポケット部Ｓ２は、相対する長側壁３のもう一方の長側壁３の両端部付近に配設されている。そして、一方の長側壁３の両端部付近に配設された第１支脚・ポケット部Ｓ１と、もう一方の長側壁３の両端部付近に配設された第２支脚・ポケット部Ｓ２とは、短側壁４に沿った容器Ｂの中心線を挟んで対称に配置されている。
【００１０】
上述したような構造を有する２つの容器Ｂを、図２に示されているように、同一方向に上下に配置した場合には、上方に位置する容器Ｂの支脚部ｃ１、ｃ２が、下方に位置する容器Ｂのフランジ５に載置されるために、下方に位置する容器Ｂに、上方に位置する容器Ｂがスタッキングされるように構成されている。
【００１１】
また、上方に位置する容器Ｂを、図２に示されている状態から１８０度回転させて、図３に示されているように、下方に位置する容器Ｂと向きを反対方向に配置した場合には、上方に位置する容器Ｂの第１支脚・ポケット部Ｓ１の幅広の支脚部ｃ１が、下方に位置する容器Ｂｂの第２支脚・ポケット部Ｓ２の幅広のポケット部ｐ２に嵌合され、また、上方に位置する容器Ｂの第２支脚・ポケット部Ｓ２の幅狭の支脚部ｃ２が、下方に位置する容器Ｂの第１支脚・ポケット部Ｓ１の幅狭のポケット部ｐ１に嵌合されて、上方に位置する容器Ｂの略下半分が、下方に位置する容器Ｂ内に嵌入され、ネスティングされるように構成されている。
【００１２】
本発明においては、スタッキングの際に、上方に位置する容器Ｂの支脚部ｃ１、ｃ２が載置される部分の、下方に位置する容器Ｂのフランジ５の幅を、容器Ｂの内側に延長してある。この構成の詳細について、図４〜図６を用いて説明する。なお、この構成は、第１支脚・ポケット部Ｓ１及び第２支脚・ポケット部Ｓ２に対して共通な構成であるので、以下の説明においては、支脚部を、単に、符号ｃで表し、ポケット部を、単に、符号ｐで表す。また、第１支脚・ポケット部Ｓ１及び第２支脚・ポケット部Ｓ２は、長側壁３或いは短側壁４の何方か一方に、また、長側壁３及び短側壁４の両方に設けることができるので、長側壁３或いは短側壁４を、単に、側壁と称し、符号３を使用する。
【００１３】
スタッキングの際には、図２に示されているように、上下方向に支脚部ｃが連続するように、容器Ｂが積み重ねられる。従って、下方に位置する容器Ｂの支脚部ｃの上方に位置するフランジ５に、上方に位置する容器Ｂの支脚部ｃが載置されることになる。従って、この部分の支脚部ｃの載置奥行き寸法ｄを大きくするために、上方に位置する容器Ｂの支脚部ｃが載置されるフランジ５部分を、容器Ｂの内側に延長して、フランジ延長部Ｅを形成したものである。フランジ延長部Ｅの上面は、当然のことながら、フランジ５の上面と面一に形成されている。フランジ延長部Ｅを、フランジ５の上面と面一に延びる板状体で形成することもできるが、フランジ延長部Ｅの強度を上げるために、側面ｅ１の形状が、下方に行くに従って薄くなる楔状に形成することが好ましい。フランジ延長部Ｅは、容器Ｂの側壁３と一体的に、容器Ｂの内面３ａから突設されるように形成されている。
【００１４】
上述したように、支脚部ｃの上方に位置するフランジ５部分を、容器Ｂの内側に延長してフランジ延長部Ｅを形成することにより、図６に示されているように、スタッキングの際、下方の容器Ｂのフランジ５に載置されている、上方に位置する容器Ｂの支脚部ｃの載置奥行き寸法ｄを大きくすることができるので、容器Ｂを多段にスタッキングしたときの安定性が向上するとともに、フランジ延長部Ｅを設けたためにフランジ５の強度が増し、スタッキングの際に容器Ｂが破損するというような問題が解決できる。
【００１５】
上述したようなフランジ延長部Ｅを形成すると、ネスティングの際に、下方に位置する容器Ｂの内面から突設したフランジ延長部Ｅが、上方に位置する容器Ｂのポケットｐの下方に位置する側壁３に当接し、ネスティングすることができない。そこで、容器Ｂのポケットｐの下方の側壁３に、フランジ延長部Ｅの逃げを設ける。
【００１６】
上述した逃げの１例として、ネスティングの際に、フランジ延長部Ｅが挿入可能な凹部Ｄが、ポケットｐの下方の側壁３を、外面３ｂ側から容器Ｂの内部方向に凹ますことにより形成されている。本実施例においては、フランジ延長部Ｅの側面ｅ１の形状が、下方に行くに従って薄くなる楔状に形成されているので、凹部Ｄの空間部も、フランジ延長部Ｅの楔状形状に対応して、下方に行くにしたがって、深さが徐々に浅くなる楔状に形成されている。
【００１７】
上述した実施例では、ネスティングの際に、フランジ延長部Ｅが、ポケットｐの下方の側壁３に当接しないように、フランジ延長部Ｅが挿入可能な凹部Ｄを、ポケットｐの下方の側壁３を、外面３ｂ側から容器Ｂの内部方向に凹ますことにより形成した例を示したが、ネスティングの際に、フランジ延長部Ｅが当接するポケットｐの下方の側壁３部分を、くり抜いて、逃げとしての孔を穿設することもできる。このような孔を形成することにより、上記の凹部Ｄの深さに限定されることなく、フランジ５部分を、より長く容器Ｂの内側に延長して、容器Ｂの内側方向に、より長いフランジ延長部Ｅを形成することができる。従って、スタッキングの際、下方の容器Ｂのフランジ５に載置されている、上方に位置する容器Ｂの支脚部ｃの載置奥行き寸法ｄをより大きくすることができるので、容器Ｂを多段にスタッキングしたときの安定性が更に向上するとともに、フランジ延長部Ｅを設けたためのフランジ５の強度がより増加することになる。
【００１８】
容器Ｂのポケットｐの下方の側壁３に形成されるフランジ延長部Ｅの逃げとして、孔を穿設する代わりに、ポケットｐの下方の側壁３を、外面３ｂ側から容器Ｂの内部方向に凹ますことにより凹部Ｄを形成することにより、容器Ｂの強度や剛性が増大し、多段にスタッキングした際の容器Ｂの座屈等による損傷を防止することができる。
【００１９】
上述した実施例の容器Ｂの相対する長側壁３に配設された第１支脚・ポケット部Ｓ１及び第２支脚・ポケット部Ｓ２の配置は、同一方向でスタッキング及び反対方向でネスティングが可能な範囲において、上述した実施例に限定されるものではない。このような第１支脚・ポケット部Ｓ１及び第２支脚・ポケット部Ｓ２の配置については、実公平６−２８９２号、実公平６−３５９４３号公報等において、本出願前公知であるので、詳細な説明は省略する。
【００２０】
【発明の効果】
本発明は、以上説明したように構成されているので、以下に記載する効果を奏することができる。
【００２１】
支脚部の上方に位置するフランジ部分を、容器の内側に延長してフランジ延長部を形成したので、スタッキングの際、下方の容器のフランジに載置されている、上方に位置する容器の支脚部の載置奥行き寸法を大きくすることができるので、容器を多段にスタッキングしたときの安定性が向上するとともに、フランジ延長部を設けたために容器の強度が増加する。また、容器のポケットの下方の側壁に、フランジ延長部が当接しないような逃げを形成したので、ネスティングが可能となる。
【００２２】
ポケットの下方の側壁を、外面側から容器の内部方向に凹ますことにより、逃げとしての凹部を形成したことにより、容器の強度や剛性が増大し、多段にスタッキングした際の容器の座屈等による損傷を防止することができる。
【００２３】
逃げとしての孔を穿設したので、フランジ部分を、より長く容器の内側に延長して、容器の内側方向に、より長いフランジ延長部を形成することができ、従って、スタッキングの際、下方の容器のフランジに載置されている、上方に位置する容器の支脚部の載置奥行き寸法をより大きくすることができるので、容器を多段にスタッキングしたときの安定性が更に向上するとともに、フランジ延長部を設けたための容器の強度がより増加する。
【図面の簡単な説明】
【図１】図１は本発明の運搬用矩形容器の斜視図である。
【図２】図２は本発明の運搬用矩形容器がスタッキングされた状態を示す正面図である。
【図３】図３は本発明の運搬用矩形容器がネスティングされた状態を示す正面図である。
【図４】図４は本発明の運搬用矩形容器を内側から見た要部斜視図である。
【図５】図４は本発明の運搬用矩形容器を外側から見た要部斜視図である。
【図６】図６は本発明の運搬用矩形容器がスタッキングされた状態を示す側断面図である。
【図７】図７は従来の運搬用矩形容器がスタッキングされた状態を示す側断面図である。
【符号の説明】
Ｂ・・・・・・・・運搬用矩形容器
Ｄ・・・・・・・・逃げ（凹部）
Ｅ・・・・・・・・フランジ延長部
１・・・・・・・・底部
２・・・・・・・・開口縁
３・・・・・・・・長側壁
４・・・・・・・・短側壁
５・・・・・・・・フランジ
【図１】
0003929563.tif 000002
【図２】
0003929563.tif 000003
【図３】
0003929563.tif 000004
【図４】
0003929563.tif 000005
【図５】
0003929563.tif 000006
【図６】
0003929563.tif 000007
【図７】
0003929563.tif 000008